(57)【特許請求の範囲】
【請求項１】
空気室が形成されるように隔壁が形成された１又は２以上の気密性袋状体に空気を圧入して立体を形成させる書見台であって、
空気圧入によって形成される背板用空気室及び止水用空気室と、
４辺のうち１辺が前記背板用空気室に当接し３辺が前記止水用空気室に当接する略矩形状の台部と、
前記背板用空気室と前記止水用空気室との端部同士を熱融着により接合した強化部とを備えることを特徴とする、書見台。
【請求項２】
前記強化部は、前記台部の前記背板用空気室に当接する辺の延長線が前記背板用空気室と前記止水用空気室とを分離する部分の２５％以上を含む部分に沿って設けられていることを特徴とする、請求項１に記載の書見台。
【請求項３】
前記台部は空気室を有さないシート又は板であることを特徴とする、請求項１又は２に記載の書見台。
【請求項４】
前記止水用空気室のうち前記台板部の前記背板用空気室に当接する後辺に対向する前辺に当接する部分は、前記前辺に垂直な断面の断面積が前記前辺の一端から中央にかけて増加し、中央から他端にかけて減少することを特徴とする、請求項３に記載の書見台。
【請求項５】
前記台部と前記背板用空気室とのなす角が８０〜１３０°であり、
前記台部と前記止水用空気室とのなす角が前記矩形の３辺の全てにおいて３０〜１６０ °であり、
前記止水用空気室の前記台部の最上面に対する高さが２０〜９０ｍｍであることを特徴とする、請求項１〜４のいずれか１項に記載の書見台。
【請求項６】
前記気密性袋状体は空気栓を有し、
前記背板用空気室と前記止水空気室とが連通して形成され、前記空気栓からの空気の圧入によって立体を形成し得ることを特徴とする、請求項１〜５のいずれか１項に記載の書見台。
【請求項７】
浴槽で水面に浮かべて使用するものであることを特徴とする、請求項１〜６のいずれか１項に記載の書見台。
【発明の詳細な説明】
【技術分野】
【０００１】
本発明は、気密性袋状体に空気を圧入して立体を形成させる書見台に関し、特に浴槽内で好適に使用できる書見台に関する。
【背景技術】
【０００２】
近年、浴室には広い年齢層に対応するため多種の機能が求められており、単に体を洗うというだけでなく、一日の疲れを癒し、ストレスを解消させるなどの機能も要望されている。このような一例として、本を読むなどが好まれている。
【０００３】
浴室用の書見台として、例えば天井からブックスタンドを昇降自在に吊り下げ、このブックスタンドを昇降する昇降装置を設けてなることを特徴とする浴室用ブックスタンドがあった（特許文献１）。浴槽内に居ながらブックスタンドに本を載置してリラックスした状態で本を読むことができ、しかもこのようにブックスタンドを設けたにも関わらず平面視における浴室スペースが狭くならず、かつ本を読まない場合には、ブックスタンドが邪魔にならず、浴室を使用できるスペースが狭くならないという。
【０００４】
また、本来、入浴者が前傾したときにその荷重を検出して入浴者の異常の有無を判別及びび報知する浴室安全装置であって、前記荷重検出のための浴槽の縁部に架設支持された台を書見台として使用するという技術もあった（特許文献２）。
【０００５】
しかしながら、特許文献１記載の方法では、書見台のための装置が大掛かりなものとなり、簡便に設置することができなかった。また、特許文献２記載の方法は、本来、入浴者の異常の有無の検出が目的であるため、その大きさや高さが書見用に適するとは限らず、また、入浴中に常設される必要があるため、不要時には容易に撤去でき、好みのときに簡便に読書をするという目的にはそぐわなかった。
【０００６】
出願人は、上記の問題に対応するものとして、浴室で簡便に本を読むことができ、かつリラックスして読書できる書見台（以下「旧書見台」という。）を発明した（特許文献３）。旧書見台は、本を載置するための台板用空気室、本を所定角度で保持する背板用空気室及び本に水を触れさせないために止水する係止用空気室並びに横板用空気室を備えたものであった（図１（Ａ）参照）。
【０００７】
しかし、旧書見台には、形状の変形に伴う問題が残っていた。具体的には、空気室の気圧に依存して以下の状況となり、書見台としての使用に適さないものとなってしまうことである。（１）背板用空気室と横板用空気室の接合部が下方に移動してしまい、該接続部が底板用空気室よりも低くなり、そこから底板用空気室の上部に水が流入してしまい、本を濡らしてしまうこと（図１（Ｂ）参照）。係止用空気室の中央部が折れ曲がってしまい、底板用空気室が平面形状を保てなくなってしまうこと（図１（Ｃ）参照）。
【先行技術文献】
【特許文献】
【０００８】
【特許文献１】特開２００４−２５４８７４号公報
【特許文献２】特開２００３−０７７０７６号公報
【特許文献３】特開２００７−１３０１７３号公報
【発明の概要】
【発明が解決しようとする課題】
【０００９】
本発明は、浴室で用いるための書見台であって、形状の変形に伴う問題がなく、安定して使用することができるものを提供することを課題とする。
なお、「書見台」とは、必ずしも本を読むためのものに限定されず、板状でその表面に表示がある物（本、タブレットコンピュータ、スマートホン、携帯型テレビジョン、携帯型ゲーム機、その他）を、その表面の表示を見る目的で立て掛けるものすべてを言う。
【課題を解決するための手段】
【００１０】
本発明の書見台は、
空気室が形成されるように隔壁が形成された１又は２以上の気密性袋状体に空気を圧入して立体を形成させる書見台であって、
空気圧入によって形成される背板用空気室及び止水用空気室と、
４辺のうち１辺が前記背板用空気室に当接し３辺が前記止水用空気室に当接する略矩形状の台部と、
前記背板用空気室と前記止水用空気室との端部同士を接合した強化部とを備えることを特徴とする。
【００１１】
強化部によって、背板用空気室と止水用空気室とが分離しなくなり、底板の上部に水が流入するような変形がなくなる。
【００１２】
本発明の書見台は、
前記強化部は、前記台部の前記背板用空気室に当接する辺の延長線が前記背板用空気室と前記止水用空気室とを分離する部分の２５％以上を含む部分に沿って設けられていることを特徴とする。
【００１３】
強化部の面積を大きくすることで、変形の抑制を確実にする。ここで「沿って」とは、延長線上のみならず、延長線に平行な直線の上（延長線に直行する方向の射影が延長線上となる箇所）をも含む。
【００１４】
本発明の書見台は、
前記台部は空気室を有さないシート又は板であることを特徴とする。
【００１５】
台部は、空気室ではなく、引張力が加わっても伸長しない。台部の背板用空気室側の辺とそれに対向する辺とを引き離す方向の力に対して台部が伸長しないことで、止水用空気室が折れ曲がるように変形することなく係止される。
【００１６】
本発明の書見台は、
前記止水用空気室のうち前記台板部の前記背板用空気室に当接する後辺に対向する前辺に当接する部分は、前記前辺に垂直な断面の断面積が前記前辺の一端から中央にかけて増加し、中央から他端にかけて減少することを特徴とする。
【００１７】
止水用空気室を前辺の中央において太くすることで、折れ曲がることを更に確実に防止する。
【００１８】
本発明の書見台は、
前記台部と前記背板用空気室とのなす角が８０〜１３０°であり、
前記止水用空気室の前記台部の最上面に対する高さが２０〜９０ｍｍであることを特徴とする。
【００１９】
背板用空気室と止水用空気室によって本を立て掛けやすく、止水用空気室が波除けとして台部への浸水を防止する。なお、本発明の書見台各部の角度及びサイズは各空気室への空気注入量及び台部に載せられた本の重量によって変動する。本明細書において、これらの値は、各空気室に十分な空気を注入し（袋状の空気室が最大に膨張し）、台部に本を載せない場合のものとする。
【００２０】
本発明の書見台は、
前記気密性袋状体は空気栓を有し、
前記背板用空気室と前記止水空気室とが連通して形成され、前記空気栓からの空気の圧入によって立体を形成し得ることを特徴とする。
【００２１】
１つの空気栓からの空気の圧入によって背板用空気室及び止水用空気室に一度に空気が導入される。
【００２２】
本発明の書見台は、
浴槽で水面に浮かべて使用するものであることを特徴とする。
【００２３】
浴槽における使用は、本発明の効果が大きいものである。
【発明の効果】
【００２４】
本発明の書見台によれば、浴室で用いるための書見台であって、形状の変形の問題がなく、安定して使用することができるものが提供される。
【図面の簡単な説明】
【００２５】
【図１】図１は、旧書見台を示す斜視図である。
【図２】図２は、書見台を示す斜視図である。
【図３】図３は、強化部を示す図である。
【図４】図４は、書見台の断面図である。
【図５】図５は、書見台の断面図である。
【図６】図６は、空気導入前の書見台を示す平面図である。
【図７】図７は、書見台の使用状態を示す斜視図である。
【発明を実施するための形態】
【００２６】
以下、本発明の実施例を説明するが、その前に、旧書見台に残っていた問題点を詳述する。
【００２７】
図１は、旧書見台を示す斜視図である。図１（Ａ）に示すように、書見台１は、背板用空気室２、係止用空気室３１、横板用空気室３２及び台部４がそれぞれ気密性袋状の空気室であり、相互に連通している。空気室に空気を注入して図に示す書見台の形状とするものである。
【００２８】
図１（Ｂ）を用いて第一の問題を説明する。空気の注入が少ない場合、外部から例えば波の力を受けた場合などに、横板用空気室３２が湾曲して下方に移動してしまうことがある。背板用空気室２が横板用空気室３２と分離して移動してしまい、背板用空気室２と横板用空気室３２との接続部が台部４よりも低くなってしまう（図において白抜き矢印で示した箇所）。台部の上に浸水しまい、本を濡らしてしまう。ここで、背板用空気室２と横板用空気室３２との★で示した箇所が、図１（Ａ）では接していたのに、図１（Ｂ）においては分離している。この分離が第一の問題の原因である。
【００２９】
図１（Ｃ）を用いて第二の問題を説明する。空気の注入が多すぎる場合、外部から例えば波の力を受けた場合などに、係止用空気室３１に背板用空気室２から離れる方向（図において白抜き矢印で示した方向）の力が加わることがある。台部４は、空気室であるため、変形して、力が加えられた方向に伸長する。そうすると、係止用空気室３１の変形を抑止する力がなく、係止用空気室３１は、折れ曲がり、図に示すように上方（又は下方）に屈曲してしまう。この結果、台部４の上面は水平でなくなり、本を載置することが困難になってしまう。本が水中に落下してしまうこともあり得る。
【実施例１】
【００３０】
以下、上記の問題を解決した本発明の書見台について説明する。
【００３１】
図２は、書見台を示す斜視図である。図において点線は部材の境界ではなく形状を示すためのものである。書見台１は、背板用空気室２、止水用空気室３、及び台部４を備えている。背板用空気室２及び止水用空気室３は、気密性袋状の空気室であり、本実施例においては相互に連通している。ただし、必ずしも連通していなくともよい。台部４は、矩形のシート状であり、１辺が背板用空気室２に、３辺が止水用空気室３に当接し、下方からの浸水を防止している。２つの空気室に空気を注入して図に示す書見台の形状とするものである。
【００３２】
書見台１は、プラスチックのフィルムまたはシートを用いて、公知の成形方法により成形される。上記フィルム、シートには、例えばブロー成形法、インフレーション法、Ｔ ダイ法等の、従来公知の種々の方法により成形されたものを使用することができる。また、気密性袋状体として多重構造にしてもよく、例えば二重構造の場合、少なくとも内外の何れかが気密性を保有していればよい。
【００３３】
上記プラスチックとしては、特にポリエチレン、ポリプロピレン等のポリオレフィンや塩化ビニルが、優れた成形性を有しており、かつ安全性が確立していることから好適に用いられる。その他、気密性がある種々既知の積層体も好適に使用できる。例えば、空気に対して高い非透過性を有する包装材料には、エチレン−ビニルアルコール共重合体フィルムやポリ塩化ビニリデンフィルムの層を有する三層ラミネートフィルムや、アルミニウム層を有するラミネートフィルムがある。三層ラミネートフィルムでは、エチレン−ビニルアルコール共重合体フィルムの内層には、未延伸のポリプロピレンフィルムや未延伸のポリエチレンフィルムをラミネートすることが好ましく、熱融着性が良好となる。さらにエチレン−ビニルアルコール共重合体フィルムの外層には、二軸延伸ポリプロピレンフィルム、ポリエステルフィルム等をラミネートすることが好ましい。また、ポリエチレン、ポリプロピレン等のオレフィン系樹脂、ポリエステル、ポリウレタン、ポリアミド等の厚みの大きな包装材料を用いることもでき、これらの合成樹脂製積層シートを用いるのが好適である。
【００３４】
書見台１は、袋状体に隔壁を設け空気室を形成するものであり、このような隔壁は、例えば袋状体の所定箇所を熱融着することで形成することができる。
【００３５】
以下、図２及び図３を用いて、旧書見台（図１（Ａ））との相違点を説明する。
【００３６】
図２に示すとおり、台部４はシートである。なお、シートでなく剛性の板であってもよい。旧書見台では空気室であった。台部４が空気室を有さないシートであることにより、止水用空気室３に背板用空気室２から離れる方向の力が加わった場合にも、台部４は伸長せずに止水用空気室３の変形を抑止する。止水用空気室３は、折れ曲がることがなく、第二の問題が解消されている。
【００３７】
図２に示すとおり、止水用空気室３は、矩形の台部の３辺に当接している。旧書見台では係止用空気室３１及び２つの横板用空気室３２が、それぞれ１辺に当接していた。この点、旧書見台においても係止用空気室３１及び２つの横板用空気室３２は連通しており、これらを合わせて１つの止水用空気室３としても同等である。
【００３８】
止水用空気室３のうち背板用空気室２に対向する箇所（旧書見台において係止用空気室３１に相当する箇所）は、その中央部が膨らんで（長手方向に垂直な断面の断面積が大きくなって）いる。膨らみは、両端から中央にかけて少しずつ加えられている。旧書見台ではかかる膨らみはなかった。
【００３９】
背板用空気室２と止水用空気室３との端部同士を接合する強化部５が設けられている。旧書見台では強化部５は設けられていなかった。以下、図３を用いて強化部５について説明する。
【００４０】
図３（Ａ）は、図２におけるＡ−Ｂ部分の拡大図であり、背板用空気室２及び止水用空気室３について、その内部の部材を点線で表示したものである。背板用空気室２及び止水用空気室３の境界に、強化部５が設けられている。強化部５は、背板用空気室２と止水用空気室３とを例えば熱融着によって結合したものである。図に見えている面同士（後述するように２枚のシートが用いられるので、上方のシート同士）を結合する。図において強化部５を二重線で描いているが、２本の線の間のみを熱融着することで（全体を熱融着せずとも）、強化部５が形成される。
【００４１】
図３（Ｂ）は、背板用空気室２及び止水用空気室３に空気を導入しない状態で、書見台１を展開した平面図である。図３（Ａ）に示された部分に相当する部分のみが示されている。なお、強化部５において背板用空気室２と止水用空気室３とが結合されており、実際に図のように展開することはできない。図は、説明のために結合部分を切断したものとして展開したものである。図において円形に示されている強化部５は、半円形の強化部５が切断されて２箇所に表れているものである。なお、強化部５は、台部４と背板用空気室２との境界を延長した線（図における一点鎖線）に接することなく、一点鎖線の上下に２つの半円部が分離してもよい。
【００４２】
台部４の図における上側が背板用空気室２であり、図における左側が止水用空気室３である。台部４は１枚のシートでも２枚のシート（シートの間に空気室のないものに限る）でもよいが、背板用空気室２及び止水用空気室３は図における紙面垂直方向に２枚のシートが折り重ねられ空気を注入すると図における紙面垂直方向に膨張する。
【００４３】
台部４と背板用空気室２との境界を延長した線（背板用空気室２と止水用空気室３の境界）を一点鎖線で示すが、一点鎖線は何らかの部材を表すものではなく、背板用空気室２と止水用空気室３の境界において空気が流通する。
【００４４】
強化部５においては、背板用空気室２と止水用空気室３との境界部で上方のシート同士が例えば熱融着によって半円状に結合されている。強化部５が変形しづらくなっている。変形を防止するため、半円部分は厚く形成されていてもよい。強化部５は、図１（Ｂ）における★の箇所に設けられている。すなわち、背板用空気室２と止水用空気室３とが分離せず、第一の問題が解消する。
【００４５】
一点鎖線で示した台部４と背板用空気室２との境界を延長した線の長さをＬ、その線に強化部５を（線に対して垂直に）投影した部分の幅をＷとすると、Ｗ／Ｌの値はおよそ４０％である。Ｗ／Ｌの値は任意に設計可能であるが、強化部５の効果を保つため２５％以上であることが好ましい。１００％として背板用空気室２と止水用空気室３との空気の流通がなくてもよい。また、強化部５によって結合される部分の延長線に対する垂直方向の高さＨも任意に設計可能であるが、強化部５の効果を保つためＷの２５％以上であることが好ましい。
【００４６】
以下、図４及び５を用いて、書見台１の形状を詳述する。
【００４７】
図４は、書見台の断面図である。図２におけるＣ線の断面図である。台部４と背板用空気室２とのなす角θは、８０〜１３０°であることが好ましく、より好ましくは８０〜１２５°、特に好ましくは１００〜１２０°である。８０°を下回ると、本が立てかけづらくなり、一方、１３０°を超えると読書が困難となる場合がある。
【００４８】
止水用空気室３の高さ(ｈ１)は、２０〜９０ｍｍであることが好ましく、より好ましくは６０〜７０ｍｍである。２０ｍｍを下回ると波除けとして機能せずに台部４に浸水してしまう場合がある。また、本の下側を係止するためには５０ｍｍ以上であることが好ましい。一方、９０ｍｍを超えるとページ送りが困難となる場合がある。
【００４９】
図５は、書見台の断面図である。図２におけるＤ線の断面図である。止水用空気室３の高さ(ｈ２)は、図４よりも低い。横方向においては本の下側を係止する必要がないためである。２０〜５０ｍｍであることが好ましい。
【実施例２】
【００５０】
以下、本発明の書見台１を使用する状況について説明する。
【００５１】
図６は、空気導入前の書見台を示す平面図である。書見台１は、台部４と背板用空気室２との境界において折り畳まれている。強化部５の結合によるものである。図は背板用空気室２側から見た図である。折り畳まれて図の裏側にある止水用空気室３と台部４との境界を点線で示す。この点線部分を含め、台部４の周囲が例えば熱融着によって結合されている。また、強化部５も例えば熱融着によって結合されている。
【００５２】
背板用空気室２及び止水用空気室３は、２枚のシートを重ねて空気の保持される袋状体となっている。これに合わせて、台部４も２枚のシートとする（ただし、１枚のシートでもよい）。同形の２枚のシートを重ね、シートの外縁、台部４の周囲及び強化部５を結合することで、書見台１が生産される。
【００５３】
背板用空気室２に空気栓６が設けられ、空気栓６から空気を注入して書見台１を図２に示す形状とする。背板用空気室２と止水用空気室３とは連通しており、空気栓６から注入された空気は止水用空気室３をも膨張させる。なお、背板用空気室２と止水用空気室３との連通がない場合には、止水用空気室３にも空気栓を設ければよい。
【００５４】
図７は、書見台の使用状態を示す斜視図である。図６に示した書見台に空気を注入して図２の形状とした後に、本７を載置したものである。本７の下端は止水用空気室３に係止され、上端は背板用空気室２に立て掛けられる。これにより、本７が安定して置かれる。
【００５５】
止水用空気室３が波除けとなり、本７に水が触れることがない。止水用空気室３の横方向の高さ（ｈ２）は波除けのためのものであり、止水用空気室３の手前の高さ（ｈ１）は波除け及び本の係止のためのものである。浴槽内に浮かべて使用する場合には大きな波を受けることはなく、本の係止が波除けよりも大きな高さを必要とする。ｈ１＞ｈ２となっている。
【００５６】
ｈ１＞ｈ２であることにより、止水用空気室３の手前側の部分は、両端が細く（ｈ２）、中央が太く（ｈ１）なっている。止水用空気室３を背板用空気室２から引き離す力（図１（Ｃ）参照）が働いた場合に、中央部分が折れ曲がる可能性が小さくなる。台部４が空気室を有さず伸長しないことにより、止水用空気室３が屈曲して台部４の上面が水平でなくなってしまう第二の問題を解消しているが、止水用空気室３の中央部分が折れ曲がる可能性が小さいことで、問題解消を更に確実にしている。
【００５７】
いま、背板用空気室２及び止水用空気室３への空気注入量が少なく、止水用空気室３を下方に引く力を受けたとする。旧書見台では、図１（Ｂ）のように、止水用空気室３が下方に移動し、背板用空気室２も移動して、底板用空気室に浸水してしまっていた。
【００５８】
かかる移動は、止水用空気室３が台部４との境界で下方に回転し、背板用空気室２を引くことによるものである。強化部５によってこの移動が防止される。強化部５は、熱融着等で２枚のシートが結合されているため、背板用空気室２と止水用空気室３とが分離しない。これにより、台部４に浸水してしまう第一の問題を解消している。さらに、強化部５は、周辺の箇所よりも湾曲性が低く変形しない。止水用空気室３が台部４との境界で下方に回転すると、背板用空気室２に対する角度が変わる。すなわち、強化部５には、図３（Ｂ）において上方を伸長し下方を圧縮するようなひずみ力が加わる。このひずみ力は強化部５を変形させようとするものであるが、強化部５は変形しない。すなわち、止水用空気室３が台部４との境界で下方に回転することが困難となる。第一の問題の解消が更に確実になる。
【００５９】
以上詳細に説明したように、本発明の書見台は、浴槽に浮かべて使用する書見台として旧書見台の機能を保つとともに、強化部５によって台部４に浸水してしまう問題を解消し、台部４がシート又は板であること（伸縮する空気室ではないこと）及び止水用空気室３の中央部を太くして折れ曲がりづらくすることによって台部４の上面が平面でなくなってしまう問題を解消したものである。
【産業上の利用可能性】
【００６０】
本発明の書見台は、浴室で用いるための書見台であって、形状の変形の問題がなく、安定して使用することができるものである。多くの個人による利用が考えられる。
【符号の説明】
【００６１】
１    書見台
２    背板用空気室
３    止水用空気室
３１  係止用空気室
３２  横板用空気室
４    台部（台板）
５    強化部
６    空気栓
７    本
【図１】
0006470883.tif 000002
【図２】
0006470883.tif 000003
【図３】
0006470883.tif 000004
【図４】
0006470883.tif 000005
【図５】
0006470883.tif 000006
【図６】
0006470883.tif 000007
【図７】
0006470883.tif 000008